(57)【要約】【課題】  止水性及び通気性並びに場合に応じた音声の採取を満足する建築用ガスケット及びそれに用いる中空ジッパー、並びにそれらを用いた建築用パネルの支持構造の提供。【解決手段】  パネル材の縁部の一方の面を支持する支え片、及び当該縁部のもう一方の面を支持する押え片を、挟持溝を挟んで具備する保持部と、前記パネル材が装着される間口の締結部に差し込まれるアンカー部と、前記保持部の押え片の表側に設けられたジッパー溝と、当該ジッパー溝に充填されるジッパーを具備し、前記ジッパー溝の内面から、前記保持部の底面、又はそれに連続する前記アンカー部の側面に至り、且つ前記ジッパー溝に充填されたジッパーの中空部に通じる通気孔を備えると共に、前記ジッパー溝に充填されたジッパーの一部又は全部の露出壁に、外部からその中空部へ通じる開口部を開閉する通気窓を設けた建築用ガスケット。【選択図】      図１
2008214864.tif 000002
【特許請求の範囲】
【請求項１】
パネル材の縁部の一方の面を支持する支え片、及び当該縁部のもう一方の面を支持する押え片を、挟持溝を挟んで具備する保持部と、前記パネル材が装着される間口の締結部に差し込まれるアンカー部と、前記保持部の押え片の表側に設けられたジッパー溝と、当該ジッパー溝に充填されるジッパーを具備し、
前記ジッパー溝の内面から、前記保持部の底面、又はそれに連続する前記アンカー部の側面に至り、且つ前記ジッパー溝に充填されたジッパーの中空部に通じる通気孔を備えると共に、前記ジッパー溝に充填されたジッパーの一部又は全部の露出壁に、外部からその中空部へ通じる開口部を開閉する通気窓を設けた建築用ガスケット。
【請求項２】
パネル材の縁部の一方の面を支持する支え片、及び当該縁部のもう一方の面を支持する押え片を、挟持溝を挟んで具備する保持部と、前記パネル材が装着される間口の締結部に差し込まれるアンカー部と、前記保持部の押え片の表側に設けられたジッパー溝と、当該ジッパー溝に充填されるジッパーを具備し、
前記保持部からアンカー部に達し前記挟持溝の底面に開口部を有するクサビ溝を設けてクサビを充填し、
前記ジッパー溝の内面から前記クサビを貫通し、前記保持部の底面、又はそれに連続する前記アンカー部の側面に至り、且つ前記ジッパー溝に充填されたジッパーの中空部に通じる通気孔を備えると共に、前記前記ジッパー溝に充填されたジッパーの一部又は全部の露出壁に、外部からその中空部へ通じる開口部を開閉する通気窓を設けた建築用ガスケット。
【請求項３】
前記ジッパーは、相互に嵌り合う一様な断面形状を有する通気ジッパーとサブジッパーとからなり、
前記通気ジッパーは、ジッパー溝の内面に引っ掛かりつつ当該ジッパー溝の断面形状における一部閉じられた領域を満たす断面形状となる様に中空成形され、且つ当該通気ジッパーの露出壁に、外部からその中空部へ通じる開口部を開閉する通気窓を備え、
サブジッパーは、前記ジッパー溝の断面形状の全体における前記通気ジッパーの断面形状で満たされない空間を補って充填される一様な断面形状となる様に弾性素材で成形してなる前記請求項１又は請求項２の何れかに記載の建築用ガスケット。
【請求項４】
前記ジッパー溝は、ガスケット本体の押え片３に隔壁を隔てて並行して設けられた二筋のジッパー溝からなり、
前記一方のジッパー溝に通気ジッパーを充填すると共に、他方のジッパー溝にサブジッパーを充填し、
前記通気ジッパーは、前記一方のジッパー溝の断面形状の全体を満たす一様な断面形状となる様に中空成形され、且つ当該通気ジッパーの露出壁に、外部からその中空部へ通じる開口部を開閉する通気窓を備え、
サブジッパーは、前記他方のジッパー溝の断面形状の全体を満たす一様な断面形状となる様に弾性素材で成形してなる請求項１又は請求項２の何れかに記載の建築用ガスケット。
【請求項５】
前記請求項１乃至請求項４のいずれかの建築用ガスケットにおけるジッパー溝の、通気孔に面した位置に充填する為の中空部を備えたジッパー又は通気ジッパーであって、その露出壁に外部からその中空部へ通じる開口部を開閉する通気窓を設けた建築用ガスケットのジッパー。
【請求項６】
前記通気ジッパーの対向壁と、その裏面側に長手方向への摺動自在に装着される可動板とで構成され、
前記対向壁に、複数の長孔を通気窓として各々等間隔で当該対向壁の長手方向に沿って備えると共に、当該可動板に、前記対向壁の各長孔と向き合うことによって相互に通気孔として開口し、ずれ合うことによって相互に閉鎖する長孔を、各々等間隔で当該稼動板に沿って前記対向壁の長孔と略同数備え、
当該通気ジッパーの長手方向に沿って設けられた上下ガイド部で、前記可動板を保持してなるシャッター機構を備える前記請求項５に記載の建築用ガスケットのジッパー。
【請求項７】
建築物間口の締結部となる領域の締結溝に、前記請求項１乃至請求項４のいずれかに記載の建築用ガスケットのアンカー部が嵌合され、前記通気孔に連通し、且つ建築物外部の当該通気孔より下位に存在する開口部へ向かって通された貫通路を備える建築用パネルの支持構造。
【請求項８】
前記貫通路は、建築物間口の締結部となる領域の締結溝から、前記支え片の側に延出する誘導溝を用いて構成され、当該誘導溝の前記開口部に至る区間を密閉してなることを特徴とする前記請求項７に記載の建築用パネルの支持構造。
【請求項９】
パネル材の縁部を保持する保持部を略相反する二方向に向けてそれぞれ備え、当該保持部は、その縁部の一方の面を支持する支え片、及び当該縁部のもう一方の面を支持する押え片を、挟持溝を挟んで具備し、且つ当該保持部の前記押え片の表側に設けられたジッパー溝と、当該ジッパー溝に充填されるジッパーを具備し、
前記ジッパー溝の内面から、前記支持片の表側に至り、且つ前記ジッパーの中空部に通じる通気孔を設けると共に、当該通気孔に、当該通気孔を含む貫通路の開口部を当該通気孔よりも下位に誘導する下降中空管を装着し、
当該ジッパーの一部又は全部の露出壁に、外部からその中空部へ通じる開口部を開閉する通気窓を設けた建築用ガスケット。
【請求項１０】
前記ジッパーは、相互に嵌り合う一様な断面形状を有する通気ジッパーとサブジッパーとからなり、
前記通気ジッパーは、ジッパー溝の内面に引っ掛かりつつ当該ジッパー溝の断面形状における一部閉じられた領域を満たす断面形状となる様に中空成形され、且つ当該通気ジッパーの露出壁に、外部からその中空部へ通じる開口部を開閉する通気窓を備え、
サブジッパーは、前記ジッパー溝の断面形状の全体における前記通気ジッパーの断面形状で満たされない空間を補って充填される一様な断面形状となる様に弾性素材で成形してなる前記請求項９に記載の建築用ガスケット。
【請求項１１】
前記ジッパー溝は、ガスケット本体の押え片３に隔壁を隔てて並行して設けられた二筋のジッパー溝からなり、
前記一方のジッパー溝に通気ジッパーを充填すると共に、他方のジッパー溝にサブジッパーを充填し、
前記通気ジッパーは、前記一方のジッパー溝の断面形状の全体を満たす一様な断面形状となる様に中空成形され、且つ当該通気ジッパーの露出壁に、外部からその中空部へ通じる開口部を開閉する通気窓を備え、
サブジッパーは、前記他方のジッパー溝の断面形状の全体を満たす一様な断面形状となる様に弾性素材で成形してなる前記請求項９に記載の建築用ガスケット。
【請求項１２】
前記請求項９乃至請求項１１のいずれかの建築用ガスケットにおけるジッパー溝の、通気孔に面した位置に充填する為の中空部を備えたジッパー又は通気ジッパーであって、その露出壁に外部からその中空部へ通じる開口部を開閉する通気窓を設けた建築用ガスケットのジッパー。
【請求項１３】
前記通気ジッパーの対向壁と、その裏面側に長手方向への摺動自在に装着される可動板とで構成され、
前記対向壁に、複数の長孔を通気窓として各々等間隔で当該対向壁の長手方向に沿って備えると共に、当該可動板に、前記対向壁の各長孔と向き合うことによって相互に通気孔として開口し、ずれ合うことによって相互に閉鎖する長孔を、各々等間隔で当該稼動板に沿って前記対向壁の長孔と略同数備え、
当該通気ジッパーの長手方向に沿って設けられた上下ガイド部で、前記可動板を保持してなるシャッター機構を備える前記請求項１２に記載の建築用ガスケットのジッパー。
【発明の詳細な説明】
【技術分野】
【０００１】
本発明は、建築物においてガラスや外壁材等のパネルを支持・固定するための建築用ガスケットを用いた建築用パネルの支持構造に関し、特に当該支持部における通気構造、及びそれに用いるガスケットに関する。
【背景技術】
【０００２】
従来、建築物の間口等を区画するパネルを安定して保持すべく、当該パネルの端部を嵌め込む溝とジッパーを嵌め込むジッパー溝とをゴム本体に形成し、該ゴム本体のジッパー溝にジッパーを嵌め込むことでゴム本体における溝近傍の部分をパネルの側面に押し付けるようにした構造を持つ建築用ガスケットが下記特許文献１をはじめとして複数存在している。
【０００３】
【特許文献１】特開平１０−２６６７１６号公報
【特許文献２】特開平１０−３１７５２０号公報
【特許文献３】特開２００６−１０４９２６号公報
【発明の開示】
【発明が解決しようとする課題】
【０００４】
これらの様な建築用ガスケット（以下、ガスケットと記す。）は、建築物の間口等に設けられた締結溝にアンカー部を嵌め入れることによって定着されパネル材を保持することとなるが、当該保持部における止水性を高めることによって気密性もが高まり、建築物内外の気圧調整を適性に行う事ができないと言う問題がある。建築物の外壁の目地部の分野において、出願人は、止水性と通気性の双方も満足する上記特許文献２及び特許文献３に記載の建築用ガスケットに想到した。
【０００５】
しかしながら、上記の如く建築物の間口等において当該間口を区画するパネルを安定して保持する機能が課されたガスケットにあっては、その構造上、適性に調圧機能を奏する構造が容易に実現できない実情にあった。また、高層建築物等においては、屋外の音を聞く事が困難であり、例えば、花火等を見るに際しても、いかに花火が美しくとも、音が聞こえなければ臨場感に乏しく味気ないものとなる。
【０００６】
本発明は、上記問題点を解決するためになされたもので、止水性及び通気性並びに場合に応じた音声の採取を満足する建築用ガスケット及びそれに用いる中空ジッパー、並びにそれらを用いた建築用パネルの支持構造の提供を目的とする。
【課題を解決するための手段】
【０００７】
上記課題を解決するためになされた本発明による建築用ガスケットは、パネル材の縁部の一方の面を支持する支え片、及び当該縁部のもう一方の面を支持する押え片を、挟持溝を挟んで具備する保持部と、前記パネル材が装着される間口の締結部に差し込まれるアンカー部と、前記保持部の押え片の表側に設けられたジッパー溝と、当該ジッパー溝に充填されるジッパーを具備し、前記ジッパー溝の内面から、前記保持部の底面、又はそれに連続する前記アンカー部の側面に至り、且つ前記ジッパーの中空部に通じる通気孔を備えると共に、前記ジッパー溝に充填されたジッパーの一部又は全部の露出壁に（ジッパーの一部は分離しても良いし一体的でも良い。）、外部からその中空部へ通じる開口部を開閉する通気窓を設けた事を特徴とする。
【０００８】
前記保持部からアンカー部に達し前記挟持溝の底面に開口部を有するクサビ溝を設けてクサビを充填し、前記ジッパー溝の内面から前記クサビを貫通し、前記保持部の底面、又はそれに連続する前記アンカー部の側面に至り、且つ前記ジッパーの中空部に通じる通気孔を備えると共に、前記ジッパー溝に充填されたジッパーの一部又は全部の露出壁に（ジッパーの一部は分離しても良いし一体的でも良い。）、外部からその中空部へ通じる開口部を開閉する通気窓を設けた建築用ガスケットとしても良い。
【０００９】
他の態様としては、パネル材の縁部を保持する保持部を略相反する二方向に向けてそれぞれ備え、当該保持部は、その縁部の一方の面を支持する支え片、及び当該縁部のもう一方の面を支持する押え片を、挟持溝を挟んで具備し、且つ当該保持部の前記押え片の表側に設けられたジッパー溝と、当該ジッパー溝に充填されるジッパーを具備し、前記ジッパー溝の内面から、前記支持片の表側に至り、且つ前記ジッパーの中空部に通じる通気孔を設けると共に、当該通気孔に、当該通気孔を含む貫通路の開口部を当該通気孔よりも下位に誘導する下降中空管を装着し、当該ジッパーの一部又は全部の露出壁に（ジッパーの一部は分離しても良いし一体的でも良い。）、外部からその中空部へ通じる開口部を開閉する通気窓を設けた建築用ガスケットとしても良い。
【００１０】
前記ジッパーとして、相互に嵌り合う一様な断面形状を有する通気ジッパーとサブジッパーとからなり、前記通気ジッパーは、ジッパー溝の内面に引っ掛かりつつ当該ジッパー溝の断面形状における一部閉じられた領域を満たす断面形状となる様に中空成形され、且つ当該通気ジッパーの露出壁に、外部からその中空部へ通じる開口部を開閉する通気窓を備え、サブジッパーは、前記ジッパー溝の断面形状の全体における前記通気ジッパーの断面形状で満たされない空間を補って充填される一様な断面形状となる様に弾性素材で成形してなるものを採用した建築用ガスケットとしても良い。
【００１１】
前記ジッパー溝は、ガスケット本体の押え片に隔壁を隔てて並行して設けられた二筋のジッパー溝からなり、前記一方のジッパー溝に通気ジッパーを充填すると共に、他方のジッパー溝にサブジッパーを充填し、前記通気ジッパーは、前記一方のジッパー溝の断面形状の全体を満たす一様な断面形状となる様に中空成形され、且つ当該通気ジッパーの露出壁に、外部からその中空部へ通じる開口部を開閉する通気窓を備え、サブジッパーは、前記他方のジッパー溝の断面形状の全体を満たす一様な断面形状となる様に弾性素材で成形してなる建築用ガスケットとして構成しても良い。
【００１２】
上記課題を解決するためになされた本発明による建築用ガスケットのジッパーは、前記いずれかの建築用ガスケットにおけるジッパー溝の、通気孔に面した位置に充填する為の（少なくとも一の通気孔に面していれば良い。）中空部を備えたジッパー又は通気ジッパーであって、その露出壁に外部からその中空部へ通じる開口部を開閉する通気窓を設けたことを特徴とする。外観上、充填した際の外観が前記ジッパーの形を呈することが望ましい。
【００１３】
具体的には、前記通気ジッパーの対向壁と、その裏面側に長手方向への摺動自在に装着される可動板とで構成され、前記対向壁に、複数の長孔を通気窓として各々等間隔で当該対向壁の長手方向に沿って備えると共に、当該可動板に、前記対向壁の各長孔と向き合うことによって相互に通気孔として開口し、ずれ合うことによって相互に閉鎖する長孔を、各々等間隔で当該稼動板に沿って前記対向壁の長孔と略同数備え、当該通気ジッパーの長手方向に沿って設けられた上下ガイド部で、前記可動板を保持してなるシャッター機構を備える建築用ガスケットのジッパーとして構成しても良い。
【００１４】
上記課題を解決するためになされた本発明による建築用パネルの支持構造は、建築物間口の締結部となる領域の締結溝に、前記建築用ガスケットのアンカー部が嵌合され、前記通気孔に連通し、且つ建築物外部の当該通気孔より下位に存在する開口部へ向かって通された貫通路を備えることを特徴とする。
【００１５】
前記貫通路は、建築物間口の締結部となる領域の締結溝から、前記支え片の側に延出する誘導溝を用いて構成され、当該誘導溝の前記開口部に至る区間を密閉してなるものであっても良い。
【発明の効果】
【００１６】
上記構造を持った本発明による建築用ガスケット及びその中空ジッパー並びに建築用パネルの支持構造によれば、ガスケットは、建築物の間口等に設けられた締結溝にアンカー部を嵌め入れることによって定着されパネル材を保持し、当該保持部における止水性を得るにも関らず通気性もが高まり、建築物内外の気圧調整を適性に行う事ができる。また、必要に応じて外部の音を屋内に取り入れる事も可能となる。
【００１７】
しかも、ガスケット及びそのジッパーは、工事における加工が極めて容易であり、中空ジッパーを嵌める箇所を、前記ジッパーの裁断を以って容易に調整する事ができるので、パネルやその枠材に通気措置を施す事に比して格段に製造コストや作業コストを下げることが可能となる。
【発明を実施するための最良の形態】
【００１８】
以下、本発明による建築用ガスケット（以下、ガスケットと記す）の実施の形態を、当該ガスケットに用いるジッパー、並びに当該ガスケットを用いた建築用パネルの支持構造の一例と共に図面を示しつつ説明する。
【００１９】
図１乃至図６、及び図８乃至図１０に示すガスケットは、パネル材１の縁部の一方の面を支持する支え片２、及び当該縁部のもう一方の面を支持する押え片３を、挟持溝４を挟んで具備する保持部５と、前記パネル材１が装着される間口の締結部６として刻まれた締結溝１３に差し込まれるアンカー部７を備えたものである。
【００２０】
前記押え片３の中央部には、ジッパー溝８が設けてあり、当該ジッパー溝８の存在を以って素材の伸縮に因る自由変形が広く許容されたことにより、前記挟持溝４へパネル材１の縁部を装着できることとなる。パネル材１の装着後は、当該ジッパー溝８へ保形用のジッパー９を充填し、前記パネル材１を挟持する前記保持部５の保形を図ることができる。前記ジッパー溝８は、例えば開口幅が内部の幅に比べて窄まった馬蹄形状や、中間部の幅がより内部の幅に比べて窄まったひょうたん状等、充填する部材を内部に圧し止め得る断面形状（以下、ひょうたん形状等と記す。）とされている。
【００２１】
前記アンカー部７の側面は、例えば、図１の如く複数のヒダ１４を連続して形成しても良いし、図２の如く略平坦な面であっても良い。前記締結溝１３への差し入れ上の便宜では僅かでも先細りとすることが望ましいが、形状的に求められる事項は、アンカー部７の素材にも依存する。
【００２２】
当該ガスケットには、前記ジッパー溝８の内面から、前記保持部５の底面、又はそれに連続する前記アンカー部７の側面（側方）に至る（図１にあってはアンカー部７の切欠部を経てその側方に至る例であって、図２にあってはアンカー部７の内部を経て（貫通して）その側面に至る）通気孔１５が設けられている。
【００２３】
当該ジッパー溝８の前記通気孔１５に面した位置（領域）については、前記ジッパー９に換えて外観が前記ジッパー９を呈する中空のジッパー（以下、中空ジッパーと記す。）１６が充填される。当該中空ジッパー１６は、充填位置の片側又は両側について前記ジッパー９と隣接し、当該中空ジッパー１６と前記ジッパー９の境界における水密性が確保されている。
【００２４】
当該中空ジッパー１６は、その外形は前記ジッパー９と等しいものの、その内部に中空部が設けられ、前記通気孔１５に面して常時開口の内窓１８を設けると共に、当該内窓１８に対向する側の壁（以下、対向壁と記す。）に、前記ジッパー溝８の開口部を封じ或いは開く扉１９を備えた通気窓１７が備えられる。
尚、隣接するジッパー９に面する側は、封じても良いし、開放しても良いが、両端を封じておいた方が遮水性を高める上で望ましい。
【００２５】
前記扉１９は、方形の薄板であって、開閉する際の手掛かりが突起又は陥没として形成されている。前記対向壁には、当該扉１９の上縁及び下縁を摺動可能に支持するガイドが開口部に沿って設けてあり、当該例におけるガイドは、建築物の内外圧力のいずれが勝っても扉１９の上縁部及び下縁部が通気窓の上縁及び下縁と密着するように各々奥窄まりとなった上下一対の対向溝となっている（図３参照）。また、当該対向溝に嵌る扉１９の上縁部及び下縁部にあっては、各々必要に応じて丸みを帯びた先細りとなるように成形しても良い。
【００２６】
上記ガスケットの保持部５における定着力を高め、且つ取付作業の緩和をも図るべく、上記ガスケットの構造に加えて、以下の構造を採用しても良い。
即ち、前記挟持溝４の底面に、前記保持部５からアンカー部７に達するクサビ溝１０の開口部が設けてあり、前記アンカー部７を締結溝１３に差し入れる際、又は差し入れた後に、当該クサビ溝１０にクサビ１１を充填する構造を採る。前記クサビ１１は押出成形によって、ビス状の等断面を有する長尺材として形成されたものであり、当該クサビ１１を差し入れることによってアンカー部７が側方へ僅かに膨出する形で、締結溝１３の側壁面へアンカー部７の側面が弾性的に密接する。
【００２７】
図に示すガスケットの本体は、シリコンゴム、クロロプレンゴム、エチレンプロピレンゴム、ポリエチレン、ポリウレタン、ポリ塩化ビニル等の弾性保持力が高く耐候性の高いゴム素材を用いて押出成形されており、一方、前記ジッパー９やクサビ１１は、狭い隙間に差し入れられる物であるから、差し入れる際に大きく変形する程の過度に柔軟性を有するものは不適当である、従って、前記ガスケットの本体と比較して硬質な樹脂を素材として押出成形されることが望ましい。
【００２８】
前記中空ジッパー１６にあっては、中空部材と言う構造上、保形性に劣るので、扉１９も含めて、前記ジッパー９やクサビ１１と同程度以上の保形性（硬さ）を有する素材（例えば、アルミ合金等）を用いる事が望ましい。前記扉１９にあっては、当該中空ジッパー１６と同じ素材を用いても良いが、前記中空ジッパー１６の硬さに比較して、扉１９の閉鎖時における水密・気密性及び遮音性を保持し得る程度に通気窓１７の内縁に満遍なく密着し得る程度の柔らかさや弾性を持つ素材、例えば、前記ガスケットの本体に用いられる様な素材を用いる事が望ましい。
【００２９】
上記ガスケットを用いた建築用パネルの支持構造は、パネル材１が装着される建築物の間口部の締結部６となる領域の締結溝１３（当該開口部を取り囲む枠として固着されたフレーム材の締結溝１３を含む）と、上記ガスケットのアンカー部７とが嵌合され、建築物の開口部の締結部６となる領域に、ガスケット前記通気孔１５に面し、且つ建築物外部の当該通気孔１５より下位に存在する戸外に面した開口部２０へ向かって通された貫通路１２を備える構造を有する。
【００３０】
前記貫通路１２としては、前記締結溝１３の側面又は底面から前記開口部２０へ傾斜した誘導孔２６からなる貫通路１２（図１、又は図３参照）や、前記締結溝１３の底面より垂下しその下端部から斜め下向きに前記開口部２０へ向かう誘導孔２６からなる貫通路１２（図６参照）が挙げられ、更に、これら誘導孔２６の屋外側の開口部へアルミ合金等を素材とする下降中空管２３を差し入れることによって、更に当該貫通路１２の開口部２０を下位へ押し下げる構成としても良い（図５参照）。
【００３１】
前記下降中空管２３とは、当該下降中空管に侵入した水が屋外に向かって流下する様に成形又は設置される中空管であって、前記誘導孔２６の傾斜に沿って屋外へ延出するストレート型であっても良いし、延出した後に下方へ屈曲或いは湾曲するくの字型であっても良い（図５参照）。
【００３２】
その他の貫通路１２の形態としては、建築物間口の締結部６となる領域の締結溝１３から、前記支え片２の側に延出する誘導溝２１を用いて構成され、当該誘導溝２１の下端開口部２０に至る区間の誘導溝２１を板体や合成樹脂膜から成る封鎖材２４で密閉してなる貫通路１２が挙げられる（図２参照）。
【００３３】
他の建築用ガスケットの形態としては、図７に示すパネル材１とパネル材１の連結、又はパネル材１と支持アングル等との連結に用いるガスケットが挙げられる。
【００３４】
例えば、パネル材１の縁部の一方の面を支持する支え片２、及び当該縁部のもう一方の面を支持する押え片３を、挟持溝４を挟んで具備する保持部５を略相反する二方向に向けてそれぞれ備え、前記押え片３の表側にジッパー溝８を設けてジッパー９を充填する構造を有する建築用ガスケットである。
【００３５】
当該建築用ガスケットは、各支え片２，２（又は、各押え片３，３）を、パネル材やアングル等を挟んで同じ側に備える。また、前記ジッパー溝８を、押え片３の表側（ここでは室内側）の中間部に一つ（或いは各押え片３について各々一つずつ）備えると共に、前記ジッパー溝８の内面から、前記支え片２の側に至る通気孔２２を備えている。当該通気孔２２に、前記くの字型の下降中空管２３を装着し、当該通気孔２２を含む貫通路１２の開口部２５を当該通気孔２２よりも下位に誘導する。
【００３６】
前記ジッパー溝８の当該通気孔２２に面した位置に、前記中空ジッパー１６を隣接する前記ジッパー９と密着する状態で充填することにより、当該中空ジッパー１６に設けた通気窓１７を開閉することを以って、前記建築用ガスケットの通気孔２２を含む貫通路１２を介して外気が流通又は遮断され、建築物内外の圧力調整及び音声の取り入れ及び遮断が行えることとなる。
【００３７】
本発明による建築用ガスケットに用いる他のジッパーの形態としては、図８乃至図１２に示す多孔構造のジッパーが挙げられる。当該ジッパーは、等間隔で複数の通気窓１７が形成された通気ジッパー２７と、それを充填位置に支持固定する為のサブジッパー２８とからなる。
【００３８】
前記通気ジッパー２７にあっても、中空部材と言う構造上、保形性に劣るので、扉１９も含めて、前記ジッパー９やクサビ１１と同程度以上の保形性（硬さ）を有する素材（例えば、アルミ合金等）を用いる事が望ましい。しかも、当該通気ジッパー２７は、前記中空ジッパー１６よりも長尺となる事を予定しているものであるから、その素材の硬直性が増す程、ジッパーとしてジッパー溝８へ装着することが困難となる。そこで、前記通気ジッパー２７のみでジッパー溝８へ十分な定着性を持ちつつ嵌め入れる形状とはせず、当該通気ジッパー２７とサブジッパー２８を併用することによって、それらのジッパー溝８への定着性と押え片３の保形性の双方を満足することとした。
【００３９】
前記通気ジッパー２７とサブジッパー２８を併用する第一の例として、前記通気ジッパー２７は、その外観が、ジッパー溝８の内面の所定の領域（図８乃至図１０にあっては下部領域）に引っ掛かりつつ密着する状態で前記押え片３の変形を要する事無く緩く嵌り、且つ前記押え片３の表側と略面一となる断面形状となる様に押し出し成形され、一方、サブジッパー２８は、前記ジッパー溝８の断面形状の全体を前記通気ジッパー２７と二部材で満たすについて、前記通気ジッパー２７の断面形状で満たされない空間を補い、且つ当該サブジッパー２８をジッパー溝８の内部に圧し止めつつ嵌り合う断面形状（例えば、波状等。）となる様に前記ガスケット本体に用いられる弾性を持った素材を押し出し成形してなる（図８乃至図１０参照）。
【００４０】
前記通気ジッパー２７とサブジッパー２８を併用する第二の例として、ガスケット本体の押え片３に並行して設けた前記ジッパー溝８を、隔壁を隔てた二筋のジッパー溝３６，３７に分割し、前記通気ジッパー２７とサブジッパー２８それぞれを、当該二筋のジッパー溝３６，３７へ個別に充填する手法が挙げられる。両ジッパー溝３６，３７の存在を以って、素材の伸縮に因る変形が広く許容されたことにより、前記挟持溝４へパネル材１の縁部を装着できることとなり、パネル材１の装着後は、通気孔１５が形成されたジッパー溝３６へ通気ジッパー２７を充填し、残るジッパー溝３７へサブジッパー２８を充填することにより、両ジッパー２７，２８の安定した重点状態と、前記パネル材１を挟持する前記保持部５の保形を図ることができる。
【００４１】
当該例における通気ジッパー２７は、その外観が、ジッパー溝３６の断面形状の全体を満たすと共に、その内面に引っ掛かりつつ密着する状態で嵌り、且つ前記押え片３の表側と略面一となる断面形状となる様に押し出し成形され、一方、サブジッパー２８は、前記残るジッパー溝３７の断面形状の全体を満たすと共に、当該ジッパー溝３７の内面に引っ掛かりつつ密着する状態で嵌るようにとなる様に、前記ガスケット本体に用いられる弾性を持った素材を押し出し成形してなる。
【００４２】
尚、これらのジッパー２７，２８が嵌るジッパー溝３６，３７の断面形状は、それらを確実に保持できるひょうたん形状等とし、各ジッパー２７，２８に用いられる素材は、前記第一の例と同じである（図１２参照）。
【００４３】
前記通気ジッパー２７の内部には、全長に亘って中空部が設けられ、前記通気孔１５に面した側が、前記中空部と通じる様に、その全長に亘って連続的に又は間欠的に常時開口した構造を持ち、当該開口側に対向する側の壁（以下、対向壁３１と記す。）に、前記ジッパー溝８の開口部を封じ或いは開くシャッター機構２９を持つ通気窓１７を備えることを以って、当該通気窓１７から前記通気孔１５に通じる内外気の流通路を確保する。
【００４４】
前記シャッター機構２９は、前記通気ジッパー２７の対向壁３１と、その裏面側に長手方向への摺動自在に装着される可動板３０とで構成される。当該可動板３０は、前記対向壁３１の内面に、当該通気ジッパー２７の長手方向に沿って一体的に設けられた上下ガイド部に保持される。前記対向壁３１には、複数の長孔３２が通気窓１７として等間隔で穿設されており、当該対向壁３１の端部には、横長のガイド孔３３が一つ穿設されている。一方、当該対向壁３１の裏面側において摺動する可動板３０にも、前記対向壁３１の各長孔３２と向き合うことによって相互に通気窓１７として開口する長孔３４が、各々等間隔で前記対向壁３１の長孔３２と略同数設けられている。
【００４５】
前記対向壁３１の各長孔３２が穿設されている間隔と、前記可動板３０の各長孔３４が穿設されている間隔は、両長孔３２，３４のうちの何れか幅の狭い方の幅以上であって、相互に等しい間隔であれば、全ての通気窓１７について同時に開閉を行う事ができる。前記可動板３０の操作に際しては、予め、当該可動板３０の表面に摘み３５を設けておき、前記対向壁３１のガイド孔３３を通して当該摘み３５が突出するように装着する。当該ガイド孔３３に沿って摘み３５を動かせば、当該可動板３０の長孔３４が前記対向壁３１の長孔３２に対して当該対向壁３１のガイド部に沿って移動することとなり、通気窓１７の開閉が行われる。
【００４６】
尚、通気窓１７を常時開放して良い用途にあっては、前記可動板３０は不要となるが（図８及び図９参照。）、当該通気窓１７に嵌入するアンカーを具備し、当該通気窓１７を封じつつ対向壁３１の表面に密着する覆い板を取り外し可能に備えても良い。当該覆い板にあっては、風による異音発生を防止する為に、例えば、前記ガスケットの本体に用いられる様な素材を用いても良い。
【００４７】
前記可動板３０にあっては、当該通気ジッパー２７と同じ素材を用いても良いが、当該通気ジッパー２７の硬さに比較して、通気窓１７の閉鎖時における水密・気密性及び遮音性を保持でき、風や振動によるガタツキ音を防止し得る程度に前記対向壁３１の裏面やガイド部に満遍なく密着し得る程度の柔らかさや弾性を持つ素材、例えば、前記ガスケットの本体に用いられる様な素材を用いても良い。
【産業上の利用可能性】
【００４８】
本発明による建築用ガスケットは、屋内の気圧調整が良好であると共に、パネルの取付作業が容易で施工性が良好であることから、一般住宅から高層建築物に至るまで、幅広い用途に適用できる。
【図面の簡単な説明】
【００４９】
【図１】本発明による建築用ガスケットの実施態様例を示した断面図である。
【図２】本発明による建築用ガスケットの実施態様例を示した断面図である。
【図３】本発明による建築用ガスケットの実施態様例を示した斜視図である。
【図４】本発明による建築用ガスケットの実施態様例を示した斜視図である。
【図５】本発明による建築用ガスケットの実施態様例を示した断面図である。
【図６】本発明による建築用ガスケットの実施態様例を示した断面図である。
【図７】本発明による建築用ガスケットの実施態様例を示した断面図である。
【図８】本発明による建築用ガスケットの実施態様例を示した斜視図である。
【図９】本発明による建築用ガスケットの実施態様例を示した斜視図である。
【図１０】本発明による建築用ガスケットの実施態様例を示した斜視図である。
【図１１】本発明による建築用ガスケットに用いるシャッター機構の一例を示した斜視図である。
【図１２】本発明による建築用ガスケットの実施態様例を示した斜視図である。
【符号の説明】
【００５０】
１  パネル材，２  支え片，３  押え片，４  挟持溝，５  保持部，
６  締結部，７  アンカー部，８  ジッパー溝，
９  ジッパー，１０  クサビ溝，１１  クサビ，１２  貫通路，
１３  締結溝，１４  ひだ，１５  通気孔，１６  中空ジッパー，１７  通気窓，
１８  内窓，１９  扉，２０  開口部，２１  誘導溝，２２  通気孔，
２３  下降中空管，２４  封鎖材，２５  開口部，２６  誘導孔，
２７  通気ジッパー，２８  サブジッパー，２９  シャッター機構，
３０  可動板，３１  対向壁，３２  長孔，３３  ガイド孔，
３４  長孔，３５  摘み，３６  ジッパー溝，３７  ジッパー溝，
【図１】
2008214864.tif 000003
【図２】
2008214864.tif 000004
【図３】
2008214864.tif 000005
【図４】
2008214864.tif 000006
【図５】
2008214864.tif 000007
【図６】
2008214864.tif 000008
【図７】
2008214864.tif 000009
【図８】
2008214864.tif 000010
【図９】
2008214864.tif 000011
【図１０】
2008214864.tif 000012
【図１１】
2008214864.tif 000013
【図１２】
2008214864.tif 000014